(57)【要約】【課題】通気性に優れたブーツを提供する。【解決手段】履き口がくるぶしよりも上に位置し通気性を有しない素材で作られたブーツ１００において、ブーツの外側と内側との通気を行う通気穴１１１を当該ブーツの靴底部分に備えた。この通気穴は、ブーツ内の足における踵３０１から土踏まず３０２の間に対応して位置し、靴底部分を形成するアウトソール及び中底１２０を貫通して設けられる。【選択図】図１
2013022182.tif 000002
【特許請求の範囲】
【請求項１】
人の履物でその履き口がくるぶしよりも上に位置し通気性を有しない素材（１４０）で作られ、その靴底部分には、地面に接するアウトソール（１１０）、及びアウトソールに取り付けられ当該履物の中に組み込まれる中底（１２０）を有するブーツ（１００）において、
ブーツの外側と内側との通気を行う通気穴（１１１、１２１）を靴底部分に備え、通気穴は、靴底部分においてブーツ内の足（３００）における踵（３０１）から土踏まず（３０２）の間の位置にて、アウトソール及び中底を貫通して設けられる、
ことを特徴とするブーツ。
【請求項２】
上記靴底部分には、中底に取り付けられ足裏に接するインソール（１３０）をさらに備え、インソールは上記通気穴を有する、請求項１記載のブーツ。
【請求項３】
上記通気穴は、アウトソールにおいて当該ブーツのヒール（１５０）の付け根に隣接した位置に開口する、請求項１又は２記載のブーツ。
【請求項４】
上記通気穴は、当該ブーツのヒール（１５１）内を延在しヒール側面（１５１ａ）に開口する、請求項１又は２記載のブーツ。
【請求項５】
上記通気穴の開口には、ブーツ外部から通気穴内への水及び塵埃の浸入を防止する異物侵入防止部材を設ける、請求項１から４のいずれかに記載のブーツ。
【請求項６】
上記ブーツの履き口部分に取り付けられ、筒周り方向（２０２）に沿って延在する帯状形状を有し、締め込むことで上記履き口のずり落ちを防止するずり落ち防止ベルト（２１０）をさらに備え、このずり落ち防止ベルトは、伸縮性を有し、上記筒周り方向の複数箇所に設けたベルト通し（２１１）にて当該ブーツに保持される、請求項１から５のいずれかに記載のブーツ。
【請求項７】
上記ずり落ち防止ベルトに取り付けられ、上記締め込みを行うバックル（２２０）をさらに備え、このバックルは、ベース部材（２２１）と、該ベース部材の端部に回動可能に支持され上記ずり落ち防止ベルトを噛む歯部（２２２ａ）を有するレバー部材（２２２）とを有し、上記レバー部材を開いた状態で上記ベース部材と上記レバー部材との隙間に上記ずり落ち防止ベルトを挿通し、上記レバー部材を閉じて上記歯部と上記ベース部材との間に上記ずり落ち防止ベルトを挟み込み上記締め込みを行う、請求項６記載のブーツ。
【発明の詳細な説明】
【技術分野】
【０００１】
本発明は、ブーツに関し、特に、履き口が膝及び膝よりも上に位置するブーツ（ニーハイブーツ）に関する。
【背景技術】
【０００２】
人が履くブーツは、各々種類や用途やデザインや作りによって形が異なり、丈の長さによっては踝や膝や腿、尻を覆うもの、ヒールの種類、素材に違いがあり千差万別である。また、ブーツは、周囲の環境から足を守るために作られているものが多く、革やゴムなどの強靭な素材を使用し、水や泥、砂がブーツの隙間から入り込まないように設計されている。また一方では、特に女性においてはファッションアイテムの一つとしも定着している。
【先行技術文献】
【特許文献】
【０００３】
【特許文献１】特開２００９−２６８８６９号公報
【発明の概要】
【発明が解決しようとする課題】
【０００４】
上述のようにブーツは、丈が長く、かつ皮等の強靱な素材から作られること、並びに、このようなブーツの特性から、頻繁に脱ぎ履きするのは難しいことから、ブーツの内側と外側との通気性が悪く、その結果、ブーツ内に足熱がこもる、蒸れるという問題がある。
【０００５】
本発明は、このような問題点を解決するためになされたもので、通気性に優れたブーツを提供することを目的とする。
【課題を解決するための手段】
【０００６】
上記目的を達成するため、本発明は以下のように構成する。
即ち、本発明の第１態様におけるブーツは、人の履物でその履き口がくるぶしよりも上に位置し通気性を有しない素材で作られ、その靴底部分には、地面に接するアウトソール、及びアウトソールに取り付けられ当該履物の中に組み込まれる中底を有するブーツにおいて、ブーツの外側と内側との通気を行う通気穴を靴底部分に備え、通気穴は、靴底部分においてブーツ内の足における踵から土踏まずの間の位置にて、アウトソール及び中底を貫通して設けられることを特徴とする。
【０００７】
また、上記靴底部分には、中底に取り付けられ足裏に接するインソールをさらに備え、インソールは上記通気穴を有するように構成してもよい。
【０００８】
また、上記通気穴は、アウトソールにおいて当該ブーツのヒールの付け根に隣接した位置に開口してもよい。
【０００９】
また、上記通気穴は、当該ブーツのヒール内を延在しヒール側面に開口してもよい。
【００１０】
また、上記通気穴の開口には、ブーツ外部から通気穴内への水及び塵埃の浸入を防止する異物侵入防止部材を設けるように構成してもよい。
【００１１】
また、上記ブーツの履き口部分に取り付けられ、筒周り方向に沿って延在する帯状形状を有し、締め込むことで上記履き口のずり落ちを防止するずり落ち防止ベルトをさらに備え、このずり落ち防止ベルトは、伸縮性を有し、上記筒周り方向の複数箇所に設けたベルト通しにて当該ブーツに保持するように構成してもよい。
【００１２】
また、上記ずり落ち防止ベルトに取り付けられ、上記締め込みを行うバックルをさらに備え、このバックルは、ベース部材と、該ベース部材の端部に回動可能に支持され上記ずり落ち防止ベルトを噛む歯部を有するレバー部材とを有し、上記レバー部材を開いた状態で上記ベース部材と上記レバー部材との隙間に上記ずり落ち防止ベルトを挿通し、上記レバー部材を閉じて上記歯部と上記ベース部材との間に上記ずり落ち防止ベルトを挟み込み上記締め込みを行うように構成してもよい。
【発明の効果】
【００１３】
本発明の第１態様におけるブーツによれば、通気穴を有することから、通気穴を介してブーツ内の換気が可能であり、足熱のこもり、蒸れという問題を解消することができる。
【図面の簡単な説明】
【００１４】
【図１】本発明の第１実施形態におけるブーツの構成を示す図である。
【図２】図１に示すブーツの裏面図である。
【図３】図１に示す通気穴部分（Ａ部）の拡大図である。
【図４】図１に示すブーツの変形例における構成を示す図である。
【図５】図１に示す通気穴の変形例の拡大図である。
【図６】本発明の第２実施形態であるニーハイブーツの一例を示す斜視図である。
【図７】図６に示すニーハイブーツに備わるずり落ち防止ベルトの斜視図である。
【図８】図７に示すずり落ち防止ベルトに備わるバックルの斜視図であり、レバーを開いた状態を示す図である。
【図９】図８に示すバックルにおいて、レバーを閉じた状態を示す斜視図である。
【図１０】図６に示すニーハイブーツの他の例を示す斜視図である。
【発明を実施するための形態】
【００１５】
本発明の実施形態であるブーツについて、図を参照しながら以下に説明する。尚、各図において、同一又は同様の構成部分については同じ符号を付している。また、本明細書及び特許請求の範囲において、ブーツとは、人の履物であって、概ね、その履き口がくるぶしよりも上側に位置し、足の甲を覆うと共にその全体を通気性不良な素材で作られた履物が相当する。よって、例えばパンプス等も該当し、履物の種類は問わない。
【００１６】
第１実施形態；
図１には、本発明の第１実施形態におけるブーツ１００が示されている。本実施形態では、ブーツ１００は、図示するようなハイヒールタイプであり、その履き口が膝上に位置し、また、その全体がいわゆるスエード素材１４０で作られた履物を例に採る。また、ブーツ１００の靴底部分は、通常の靴と同様に、地面に対面しその一部が地面と接するアウトソール１１０、このアウトソール１１０に接着剤にて取り付けられる中底１２０、及び、この中底１２０に接着剤にて取り付けられ足裏に接するインソール１３０から形成される。本実施形態では、アウトソール１１０は、樹脂あるいはゴム製であり、中底１２０は、例えば紙等の薄い素材を層状に重ね合わせ圧縮して硬化させた材料である。インソール１３０は、スポンジ状のメッシュ素材を２層に重ねた上に、足裏と接する布地を設けた３層構造であり、クッション性及び吸水速乾性を有する。勿論、アウトソール１１０及び中底１２０の材質は、本実施形態のものに限定されず、下記の通気穴が形成可能な材質であればよい。また、インソール１３０の構成も本実施形態のものに限定されないが、少なくとも通気性を有する必要がある。
【００１７】
このように構成されるブーツ１００の靴底部分には、本実施形態において特徴的構成部分の一つである通気穴１１１、１２１がアウトソール１１０及び中底１２０に設けられている。通気穴１１１、１２１は、ブーツ１００の外側と内側との通気、換気を行うための通路であり、ブーツ１００内へ入れた足３００における踵３０１から土踏まず３０２の間に対応して配置されている。
【００１８】
通気穴１１１は、アウトソール１１０の厚み方向に沿ってアウトソール１１０を貫通する穴である。通気穴１２１は、中底１２０の厚み方向に沿って中底１２０を貫通する穴であり、図１のＡ部を拡大した図３に示すように、通気穴１１１に対応した位置に設けられる。図３では、通気穴１１１に対して通気穴１２１が大きい場合を示しているが、同じ大きさであってもよい。
【００１９】
これに対し、インソール１３０は、インソール１３０を貫通するような通気穴を有していない。この構成により、ブーツ１００の外側とインソール１３０とは、通気穴１１１及び通気穴１２１を介して連通する。インソール１３０は、上述のようにスポンジ状のメッシュ素材及び布地から形成されていることから、それ自身、通気性を有する。
したがって、ブーツ１００の内側は、通気穴１１１及び通気穴１２１、さらにインソール１３０を介して換気が可能となる。
【００２０】
ここで通気穴１１１、１２１を、踵３０１から土踏まず３０２の間に対応して位置させた理由を説明する。土踏まず３０２は、足裏において凹んだ部位である。よって、ブーツ１００内において、足３００の土踏まず３０２部分は、歩行の際の体重移動により、個人差があるものの歩行の度にインソール１３０に対して接近、後退を繰り返す部位である。一方、上述のようにブーツ１００の内外は、通気穴１１１及び通気穴１２１を介して通気が可能である。したがって、踵３０１から土踏まず３０２の間に通気穴１１１、１２１を配置することで、土踏まず３０２部分がポンプ機能の役目を果たし、ブーツ１００内の吸排気を効率的に行うことができるからである。
【００２１】
一例を挙げると本実施形態では、通気穴１１１は、図２に示すように円形であり、その直径は約３〜４ｍｍ程度であり、ヒール１５０の付け根から足先方向へアウトソール１１０に沿って約１．５〜２．５ｃｍ離れた位置に、靴幅方向に２つ設けている。勿論、通気穴１１１の形状、大きさ、設置位置、配置形態、及び数は、本実施形態のものに限定されない。但し、その数は、上述の作用効果を達成するため、少なくとも一つは必要である。
【００２２】
例えば図４に示すブーツ１０１のように、図１のブーツ１００に比べて足先方向へ延びたヒール１５１を有する場合には、踵３０１から土踏まず３０２の範囲に対応してヒール１５１が存在することから、ヒール１５１内を通気穴１１１が延在してもよい。この場合、通気穴１１１はヒール１５１の側面１５１ａに開口する。
【００２３】
また、図１のブーツ１００の変形例として、図５に示すように、通気穴１１６は、アウトソール１１０の表面から中底１２０に向けて穴径を徐々にあるいは段階的に大きくしてもよい。通気穴１１６をこのような形状にすることで、通気換気機能を維持しながら、アウトソール１１０の外表面における通気穴１１６の開口から、水や塵埃等の異物侵入の可能性を抑えることができる。
【００２４】
また、アウトソール１１０の外表面における通気穴１１６の開口からの水や塵埃等の異物侵入防止の観点から、少なくとも開口領域に異物侵入防止部材を設けても良い。異物侵入防止部材として、例えば、アウトソール１１０外面の上記開口部分に布地（薄手のものが好ましい）や、あるいは開口に通気性を有する部材、例えばスポンジ等が相当し、これらを開口に貼付したり、開口内へ詰めたりすることで設ける。
【００２５】
また、本実施形態では、ブーツ１００，１０１は、インソール１３０を備え、このインソール１３０には通気穴が存在しない形態について説明した。しかしながら、あるタイプのブーツでは、インソール１３０を有しない形態であってもよい。また、インソール１３０を有するブーツであっても、インソール１３０にも積極的に通気穴を形成してもよい。このような形態において、インソール１３０の通気穴は、通気穴１１１、１２１に対応した箇所に配置して、数や配置形態も通気穴１１１、１２１と同様にして、あるいは数や配置形態を相違させて、インソール１３０に形成することができる。一方、インソール１３０の通気穴は、通気穴１１１、１２１には対応しない異なる箇所に形成してもよい。
【００２６】
第２実施形態；
さらにまた、上述した第１実施形態における通気穴１１１、１２１、１１６を有し、かつ、以下に説明する「ずり落ち防止ベルト」を有するブーツを構成することもできる。
即ち、数年前より特に若い女性の間で、いわゆるニーハイブーツと呼ばれる、履き口が膝から膝よりも少し上までの間に位置するブーツが人気となっている。また、このニーハイブーツよりも、履き口がさらに膝上で腿部分に位置する、いわゆるサイハイブーツと呼ばれるブーツも登場してきている。このようなニーハイブーツ及び上記サイハイブーツでは、従来のブーツに比べると、履いている内に履き口が下にずり落ちてくることが起こり易い。履き口がずり落ちてくるとファッション性が悪くなってしまう。
そこで以下に説明する「ずり落ち防止ベルト」をブーツの履き口に設け、上述のずり落ちを防止するが、ニーハイブーツやサイハイブーツは、その丈がより長いこと、及び、「ずり落ち防止ベルト」で履き口を閉めることで、さらに、本発明の課題である、ブーツ内側における通気性の悪さ、足熱がこもる、蒸れるという問題が顕著になってしまう。したがって、上述した第１実施形態における通気穴１１１、１２１、１１６を設けることは、「ずり落ち防止ベルト」を有するブーツにおいて、上述の問題を解決するためのさらに有効な手段となる。
【００２７】
「ずり落ち防止ベルト」について説明する。
この第２実施形態では、膝から脚のつけ根までの間に履き口が位置するブーツを総括して「ニーハイブーツ」と称する。また、図６から図１０において、同一又は同様の構成部分については同じ符号を付している。
【００２８】
図６は、本実施形態のニーハイブーツ２００を示す。このニーハイブーツ２００は、上述のように膝から脚のつけ根までの間に履き口が位置するブーツであって、特には、履き口２０１が膝上で腿部分、特に太腿部分に位置するようなブーツである。尚、図６では、踵にヒールを設けたニーハイブーツ２００を示しているが、ヒールの無いデザインであってもよい。また、脱ぎ履きが容易なように、ニーハイブーツ２００の内股側には、例えば、靴底近傍から足首の少し上辺りまでの長さにて、サイドファスナー２０３を設けている。このような形態にてなる本実施形態のニーハイブーツ２００は、ずり落ち防止ベルト２１０を備える。
【００２９】
ずり落ち防止ベルト２１０は、筒周り方向２０２に沿って延在し、例えば約２ｃｍの幅寸法を有する帯状体であり、本実施形態では図７に示すようにニーハイブーツ２００の内側で、履き口部分に取り付けられる。このようなずり落ち防止ベルト２１０は、締め付けが容易になることから、例えばゴム紐のように伸縮性を有するものが好ましいが、これに限定するものではない。また、上記履き口部分とは、履き口２０１と膝に対応する位置との間（これをＡとする）、履き口２０１からＡの半分までの間、履き口２０１からＡの１／３までの間に相当する。より具体的には、履き口２０１の近傍位置で、履き口２０１から靴底へ向かい、例えば０〜１０ｃｍ程度の範囲の位置に相当する。尚、上述のベルト幅及び履き口部分の各寸法は、あくまで一例であり、それらに限定するものではない。特に上記履き口部分に関する寸法は、ニーハイブーツ２００の外側へ履き口２０１を折り返して履くファッション形態もあり、一概に決定することができない。尚、折り返した場合、履き口２０１は、ニーハイブーツ２００から脚が出るところに相当する。
また、ニーハイブーツ２００の内面への、ずり落ち防止ベルト２１０の取り付けは、上記履き口部分にて、筒周り方向２０２の複数箇所、本実施形態では２箇所、に設けたベルト通し２１１にずり落ち防止ベルト２１０を挿通することでなされる。
【００３０】
尚、本実施形態では図示するように、ずり落ち防止ベルト２１０は、ニーハイブーツ２００の内側で筒周り方向２０２に沿って全周にわたり延在するが、これに限定されず、筒周り方向２０２の一部分にのみ設けてもよい。この場合、一例として、２本のずり落ち防止ベルト２１０を設け、各ずり落ち防止ベルト２１０の一端はニーハイブーツ２００の内側に固定される形態を採ることができる。
【００３１】
このように構成されるずり落ち防止ベルト２１０は、締め込むことで、例えば単純にずり落ち防止ベルト２１０の両端部分を結ぶことで、脚にフィットし、ニーハイブーツ２００の履き口２０１のずり落ちを防止する。
【００３２】
さらに、本実施形態のニーハイブーツ２００は、バックル２２０を備えても良い。バックル２２０は、図８及び図９に示すように、ベース部材２２１と、レバー部材２２２とを有し、ずり落ち防止ベルト２１０に取り付けられて、ずり落ち防止ベルト２１０の締め込みを行う部材であり、金属あるいは樹脂材から成型され作製される。
【００３３】
ベース部材２２１は、ずり落ち防止ベルト２１０の幅寸法に対して僅かに広い溝幅を有する溝２２１ａをフランジ２２１ｂ間に形成した断面コ字状の部材である。本実施形態では、ベース部材２２１の長手方向の両端部においてフランジ２２１ｂ間に、それぞれのレバー部材２２２の一端が回動可能に取り付けられる。つまり、レバー部材２２２は、ずり落ち防止ベルト２１０と同程度の幅を有する板状の部材から成形され、レバー部材２２２の長手方向における一端では、レバー部材２２２の幅方向における両縁がベース部材２２１の各フランジに回動可能に支持される。このとき、回動可能に支持されたレバー部材２２２の上記一端と、ベース部材２２１との間には、ずり落ち防止ベルト２１０の厚み程度の隙間２２３が形成されている。よって、この隙間２２３にずり落ち防止ベルト２１０を挿入することができる。また、レバー部材２２２の上記一端には、ベース部材２２１の溝２２１ａへ隙間２２３を通り挿通されたずり落ち防止ベルト２１０を噛む歯部２２２ａが形成されている。
【００３４】
このようなバックル２２０を利用して、以下のように、ずり落ち防止ベルト２１０の締め込みを行うことができる。即ち、図８に示すように、レバー部材２２１を開いた状態で、ベース部材２２１の両端に存在するベース部材２２１とレバー部材２２２との隙間２２３へ、それぞれずり落ち防止ベルト２１０の一端及び他端を挿通する。次に、ずり落ち防止ベルト２１０が脚にフィットするように、ずり落ち防止ベルト２１０の少なくとも上記一端及び他端を引っ張った後、図９に示すように、各レバー部材２２２を閉じる。レバー部材２２２を閉じることで、レバー部材２２２の歯部２２２ａとベース部材２２１との間にずり落ち防止ベルト２１０が挟み込まれ、上記締め込みを行うことができる。
【００３５】
尚、本実施形態では、バックル２２０は、その両端部にレバー部材２２２を設けているが、いずれか一端部にのみ、一つのレバー部材２２２を設けて構成してもよい。この場合、レバー部材２２２を設けていないバックル２２０の他端部には、ずり落ち防止ベルト２１０が固定されている。
【００３６】
以上のような構成を有するニーハイブーツ２００では、履き口２０１を例えば腿部分まで上げて履いた後、上述のようにバックル２２０を利用してずり落ち防止ベルト２１０の長さを調整してずり落ち防止ベルト２１０を脚にフィットさせる。これにより、履き口２０１がずり落ちることが防止できる。また、脱ぐときには、バックル２２０のレバー部材２２２を開いてずり落ち防止ベルト２１０を緩めればよい。
【００３７】
上述した本実施形態のニーハイブーツ２００では、図６に示すように、ずり落ち防止ベルト２１０はニーハイブーツ２００の内側に取り付けた形態である。しかしながらこれに限定されず、図１０に示すニーハイブーツ２０５のように、外側に、ずり落ち防止ベルト２１０、さらにはバックル２２０を設けても良い。この場合、ずり落ち防止ベルト２１０及びバックル２２０は、上述と同機能を有するが、ニーハイブーツ２０５の外観をも構成することから、図６に示す形態に比べてファッション性に富むものが好ましい。
【産業上の利用可能性】
【００３８】
本発明は、ブーツ、特に、履き口が膝及び膝よりも上に位置するブーツ（ニーハイブーツ）に適用可能である。
【符号の説明】
【００３９】
１００…ブーツ、１１０…アウトソール、１１１…通気穴、１２０…中底、
１３０…インソール、１５０、１５１…ヒール、
２１０…ずり落ち防止ベルト、２２０…バックル、
３０１…踵、３０２…土踏まず。
【図１】
2013022182.tif 000003
【図２】
2013022182.tif 000004
【図３】
2013022182.tif 000005
【図４】
2013022182.tif 000006
【図５】
2013022182.tif 000007
【図６】
2013022182.tif 000008
【図７】
2013022182.tif 000009
【図８】
2013022182.tif 000010
【図９】
2013022182.tif 000011
【図１０】
2013022182.tif 000012